(57)【特許請求の範囲】
【請求項１】
リール本体に回転自在に支持したスプールの一側に、スプール軸に対して軸方向に移動可能に支持された環状の導電体と、
前記環状の導電体の内面側及び外面側に所定間隔をおいて配設される内側磁石及び外側磁石と、
前記スプールの回転に伴って径方向に移動し、スプールとの係合作用を利用して前記環状の導電体を前記内側磁石及び外側磁石の磁界内に進退可能にしてスプールに作用する磁気制動力を増減可能にする径方向移動部材と、
前記リール本体を構成する側板に装着される支持板と、前記支持板に設けられ、前記内側磁石と外側磁石のいずれか一方又は両方を軸方向に移動可能に保持して環状の導電体に対する重合面積を変えると共に、いずれか一方の磁石を回転可能に保持する磁石保持体と、を備えた軸方向移動保持機構と、
を備えた磁気制動装置を有し、
前記内側磁石と外側磁石の環状の導電体に対する重合面積を変えることで、環状の導電体に作用する初期の磁気制動力、及び終期の磁気制動力が調整可能であると共に、前記内側磁石と外側磁石のいずれか一方を回転することで、環状の導電体に対する磁気制動力が調整可能である、ことを特徴とする魚釣用リール。
【請求項２】
前記支持板には、前記磁石保持体に保持された内側磁石と外側磁石のいずれか一方又は両方を軸方向に移動する第１ツマミと、前記内側磁石と外側磁石のいずれか一方を回転する第２ツマミが装着されていることを特徴とする請求項１に記載の魚釣用リール。
【発明の詳細な説明】
【技術分野】
【０００１】
本発明は、リール本体の側板内間に回転自在に支持したスプールの釣糸放出時の過回転を防止するバックラッシュ防止装置を備えた魚釣用リールに関する。
【背景技術】
【０００２】
従来、釣糸放出時（例えば、キャスティング時）に、釣糸の引き出し速度よりスプールの回転速度が速くなる（過回転）と、バックラッシュ現象が生じて糸絡みや食い込み等の不具合が発生するため、このようなスプール過回転現象を自動的に防止するためのバックラッシュ防止装置をキャスティング用リールに装備することが行われている。
【０００３】
通常、バックラッシュ防止装置は、スプールの回転に制動力を付与する構成となっており、例えば、特許文献１に開示されているような、磁力を利用した磁気制動装置が知られている。この磁気制動装置は、スプールと一体で回転する導電体を磁石によって形成される磁界中に位置させ、導電体の回転に伴って生じる電磁力により、導電体の回転に制動力を付与すると共に導電体と一体回転するスプールに制動力を付与する。
【０００４】
具体的に、特許文献１に開示されている磁気制動装置は、キャスティング時に、スプールの回転速度に応じて磁界内に導電体を付勢力に抗して進退させ、キャスティング初期、及び終期における不必要なスプール回転抑制を無くして飛距離の向上を図ると共に、このスプールの回転速度に応じて軸方向移動する導電体を、作動状態と非作動状態に選択可能としている。
【先行技術文献】
【特許文献】
【０００５】
【特許文献１】特許第３６１０２７６号公報
【発明の概要】
【発明が解決しようとする課題】
【０００６】
ところで、釣場においては、仕掛け放出の条件として、遠方へ仕掛けをキャストする飛距離向上を優先する場合のロングキャスト（フルスイングキャスト）から、身近なポイントへのショートキャスト等、対象魚、釣場の状況などにより、釣人にとってベストな仕掛け放出操作とリールのスプール制動特性が要求される。
【０００７】
しかしながら、上記した従来技術の場合、スプールの回転速度に応じて軸方向移動する導電体を、作動状態と非作動状態のいずれかに選択する構成のため、スプールの制動特性が限定的となり、実釣時における様々な釣場の状況に合致した最適な制動特性を使用してのキャスティング操作が行えない、等の問題がある。
【０００８】
本発明は、上記した事情に着目してなされたものであり、釣場の様々な状況変化に応じて、ショートキャストからロングキャストに至るまで対応可能な磁気制動装置を有する魚釣用リールを提供することを目的とする。
【課題を解決するための手段】
【０００９】
上記した課題を解決するために、本発明の魚釣用リールにおける磁気制動装置は、リール本体に回転自在に支持したスプールの一側に、スプール軸に対して軸方向に移動可能に支持された環状の導電体と、前記環状の導電体の内面側及び外面側に所定間隔をおいて配設される内側磁石及び外側磁石と、前記スプールの回転に伴って径方向に移動し、スプールとの係合作用を利用して前記環状の導電体を前記内側磁石及び外側磁石の磁界内に進退可能にしてスプールに作用する磁気制動力を増減可能にする径方向移動部材と、前記リール本体を構成する側板に装着される支持板と、前記支持板に設けられ、前記内側磁石と外側磁石のいずれか一方又は両方を軸方向に移動可能に保持して環状の導電体に対する重合面積を変えると共に、いずれか一方の磁石を回転可能に保持する磁石保持体と、を備えた軸方向移動保持機構と、を有しており、前記内側磁石と外側磁石の環状の導電体に対する重合面積を変えることで、環状の導電体に作用する初期の磁気制動力、及び終期の磁気制動力が調整可能であると共に、前記内側磁石と外側磁石のいずれか一方を回転することで、環状の導電体に対する磁気制動力が調整可能である、ことを特徴とする。
【００１０】
上記した構成によれば、環状の導電体に磁界を与える内側磁石と外側磁石のいずれか一方又は両方を、リール本体を構成する側板に装着される支持板に設けられた軸方向移動保持機構によって、軸方向に移動可能に保持していることから、釣場の状況等に応じて、内側磁石及び／又は外側磁石の軸方向位置を調整することが可能となる。すなわち、内側磁石及び／又は外側磁石の軸方向位置を変えることで、キャスティング初期及び終期に、環状の導電体を介してスプールに作用する制動力を最適な状態に変更・設定することが可能となる。
【発明の効果】
【００１１】
本発明によれば、釣場の様々な状況変化に応じて、ショートキャストからロングキャストに至るまで対応可能な磁気制動装置を備えた魚釣用リールが得られる。
【図面の簡単な説明】
【００１２】
【図１】本発明に係る魚釣用リールの第１の実施形態を示す図であり、内部構成を示す平面図。
【図２】磁気制動装置部分の構成を示す拡大図。
【図３】図２に示す状態から磁石を移動させた状態を示す拡大図。
【図４】図２及び図３に示す構成において、カム作用を概略的に示す図。
【図５】図３のＡ−Ａ線に沿った断面図。
【図６】本発明の第２の実施形態を示す図であり、磁気制動装置部分の構成を示す拡大図。
【図７】図６に示す状態から磁石を移動させた状態を示す拡大図。
【発明を実施するための形態】
【００１３】
以下、図面を参照しながら本発明に係る魚釣用リールの一実施形態について説明する。
【００１４】
図１から図５は、本発明の第１の実施形態を示す図であり、図１は、内部構成を示す平面図、図２は、磁気制動装置部分の構成を示す拡大図、図３は、図２に示す状態から磁石を移動させた状態を示す拡大図、図４は、図２及び図３に示す構成において、カム作用を概略的に示す図、そして、図５は、図３のＡ−Ａ線に沿った断面図（軸受は省略する）である。
【００１５】
図１に示すように、本実施形態に係る魚釣用リールとしての両軸受型リール１は、左右側板１ａ，１ｂと、両側板１ａ，１ｂによって覆われた左右のフレーム２ａ，２ｂとを有するリール本体を備えている。左右のフレーム２ａ，２ｂ間にはスプール軸５が軸受７を介して回転可能に支持されており、スプール軸５には釣糸が巻回されるスプール５ａが一体的に固定されている。
【００１６】
右フレーム２ｂから突出するスプール軸５の端部には、スプール軸５の軸方向に沿って移動可能なピニオンギヤ８が取り付けられている。このピニオンギヤ８は、図示しない公知の切換手段によって、スプール軸５と係合してスプール軸５と一体に回転する係合位置（動力伝達状態）と、スプール軸５との係合状態が解除される非係合位置（動力遮断状態）との間で移動される。また、ピニオンギヤ８には駆動歯車１２が噛合しており、駆動歯車１２に取り付けられたハンドル軸９の端部には、ハンドル９ａが取り付けられている。したがって、ハンドル９ａを回転操作すると、前記駆動歯車１２とピニオンギヤ８とを介して、スプール軸５が回転駆動され、それに伴ってスプール５ａが回転される。
【００１７】
また、左右のフレーム２ａ，２ｂ間には、スプール５ａの釣糸繰出し方向側に、公知のレベルワインド装置１０が配設されている。このレベルワインド装置１０は、ハンドル９ａを回転操作することで、釣糸が挿通する釣糸案内体１１が左右に移動するよう構成されており、釣糸の巻き取り操作に伴ってスプール５ａに釣糸を均等に巻回する。
【００１８】
また、本実施形態では、左側板側に、釣糸放出動作の際にスプール５ａの過回転を防止する磁気制動装置２０が配設されている。
【００１９】
磁気制動装置２０は、スプール軸５の外周面に配設され、軸方向に沿って移動可能で回り止め嵌合された筒状の移動体２２を有している。移動体２２の外周面には、所定間隔をおいて径方向に伸張して形成された切り欠き状の支持部材２２ａが形成されており、各支持部材２２ａには、径方向に移動可能となるように、遠心カラー（径方向移動部材）２３が支持されている。これらの遠心カラー２３は、スプール軸５（および移動体２２）がスプール５ａと共に回転した際、支持部材２２ａに対し、遠心力によって径方向外側に移動するようになっている。
【００２０】
前記遠心カラー２３の一方側（左フレーム２ａ側）には、環状の導電体３０が支持されている。この導電体３０は、前記移動体２２の移動に伴って、スプール軸５に対して軸方向に移動可能となっている。
【００２１】
前記スプール５ａの釣糸巻回面の裏面側には、左フレーム２ａ側に向けて次第に拡径する軸方向変換制御部としてのテーパ面５ｂが形成されている。このテーパ面５ｂは、前記遠心カラー２３が径方向外側に移動する際に、遠心カラー２３の外面に形成された傾斜面２３ａと面接触（係合）して、遠心カラー２３の移動を案内するようになっている。すなわち、移動体２２の支持部材２２ａに支持された遠心カラー２３は、スプール軸５（スプール５ａ）の回転に伴う遠心力により、傾斜面２３ａとの係合作用によって径方向に移動すると共に、テーパ面５ｂに沿って案内され、これにより、環状の導電体３０が支持された移動体２２を、左フレーム２ａ側へと軸方向に移動させる（遠心カラー２３の径方向の移動が移動体２２の軸方向の移動へ変換される）ようになっている。
【００２２】
また、スプール軸５の一端部に固定されたリテーナ２６と移動体２２との間には、移動体２２をスプール５ａ側方向に向けて常時付勢する（導電体３０を、後述する磁石の磁界から離れる方向に向けてスプール５ａ側へと常時付勢する）バネ部材２７が介挿されている。
【００２３】
さらに、前記磁気制動装置２０は、リール本体を構成する左側板１ａ側に配設され、前記軸方向に移動可能な導電体３０との間で磁力を作用させる磁石４０を備えている。この磁石４０は、スプール５ａの回転に伴って軸方向に進退する前記導電体３０に対し、磁力を付与して導電体３０に対して制動力を付与する構成であれば良く、本実施形態では、環状に構成され前記導電体３０の内面側に所定間隔をおいて対向配設される内側磁石４１と、環状に構成され前記導電体３０の外面側に所定間隔をおいて配設される外側磁石４２とを備えている。すなわち、前記導電体３０は、内側磁石４１、及び外側磁石４２の間の隙間に生じる磁界内に進退可能となっており、スプール５ａに磁気制動力を作用させる。なお、前記各磁石４１，４２は、夫々磁気シールド用の図示しない継鉄を介してホルダ４５，４６に取着されている。
【００２４】
前記環状に構成される磁石４０は、軸方向移動保持機構５０によって、軸方向に対して移動可能に保持されている。以下、この軸方向移動保持機構５０の構成例について説明する。
【００２５】
軸方向移動保持機構５０は、左側板１ａに装着される支持板５１と、この支持板５１に前記スプール軸５の左端部を囲繞するように突出形成された支持部５１ａの外周に対して軸方向に移動可能となるように回り止め嵌合される磁石保持体５３とを備えている。この場合、磁石保持体５３は、内側環状壁５３ａと、外側環状壁５３ｂとを備えており、内側環状壁５３ａが前記支持部５１ａに対して軸方向に移動可能に回り止め嵌合されている。そして、内側環状壁５３ａの外周には、ホルダ４５を介在させて内側磁石４１が取着されており、外側環状壁５３ｂの内周側には、ホルダ４６を介在させて外側磁石４２が回転可能に配設されている。
【００２６】
前記内側環状壁５３ａには、スプール側に向けて開口する環状凹所（切欠部）５４が形成されており、前記支持部５１ａの先端に取着されたリテーナ５１ｃとの間に付勢バネ５５を介在させ、磁石保持体５３をスプールと反対方向に付勢している。また、前記内側環状壁５３ａには、反スプール側に向けて開口すると共に、環状で周方向に沿って高低差を具備した螺旋状のカム面５６が形成されている。
【００２７】
また、前記支持板５１には、外部に露出するようにツマミ（第１ツマミ）６０が、支持板に装着される左側板１ａの開口縁部１ａ´に入り込むようにして回転可能に装着されている。この第１ツマミ６０は、支持板５１との間に介在される付勢部材６２（係合ピンとバネで構成）によって回転方向に節度が付与されており、前記開口縁部１ａ´にフランジ６０ａが対向することで抜け止めされている。また、第１ツマミ６０には、前記高低差を具備した螺旋状のカム面５６に係合する係合突起６０ｂが一体的に突出形成されており、カム面５６と係合突起６０ｂとは、前記付勢バネ５５の付勢力により常時、係合関係が維持されている。
【００２８】
上記した構成により、第１ツマミ６０を回転操作することで、図４に模式的に示すように、カム面５６と係合突起６０ｂとの作用により、磁石保持体５３を、付勢バネ５５の付勢力に抗して、軸方向に沿ってスプール側に移動（矢印方向）させることができる。また、第１ツマミ６０を逆方向に回転操作することで、カム面５６と係合突起６０ｂとの作用、及び付勢バネ５５の付勢力により、磁石保持体５３を、軸方向に沿って反スプール側に移動させることができる。この場合、磁石保持体５３を軸方向に沿って移動させることで、それに装着された内側磁石４１と外側磁石４２の導電体３０に対する重合面積、つまり初期設定位置を変えることができ、両者の間に位置する導電体３０に作用する初期の磁気制動力、及び終期の磁気制動力を調整することが可能となる。なお、図３は、磁石保持体５３を軸方向に沿ってスプール側に移動させた状態を示している。
【００２９】
また、本実施形態では、上記した磁石保持体５３に保持される磁石４０の内、外側磁石４２（ホルダ４６）を、回転可能に構成している。具体的には、外側磁石４２を取着するホルダ４６の外周面に歯車７０を装着（ホルダ４６の外周に一体形成しても良い）しておくと共に、前記磁石保持体５３の外側環状壁５３ｂに、軸方向に延出する開口部５３ｄを形成しておき、この開口部５３ｄを介して支持板５１に回転可能に支持された中間歯車７１を噛合させている。
【００３０】
一方、前記支持板５１には、外部に露出するようにツマミ（第２ツマミ）７５が回転可能に装着されている。この第２ツマミ７５は、支持板５１を貫通するように配置され、リテーナ７６によって抜け止めされると共に、支持板５１との間に介在される付勢部材７７（係合ピンとバネで構成）によって回転方向に節度が付与されている。そして、第２ツマミ７５の軸方向内側端部には、前記中間歯車７１に噛合する入力歯車７２が装着されている。
【００３１】
上記した構成により、第２ツマミ７５を回転操作することで、図５に模式的に示すように、上記した歯車の連結構造により、歯車７０、すなわち外側磁石４２を回転可能にしている。この場合、外側磁石４２を回転操作することで、内側磁石４１との間で極性関係（Ｎ−Ｎ，Ｎ−Ｓ）が変化するため、その間に位置する導電体３０に作用する磁気制動力を調整することが可能となる。
【００３２】
次に、上記した構成の両軸受型リール１の作用について説明する。
【００３３】
例えば、キャスティングによってスプール５ａが回転すると、移動体２２もスプール５ａと一体回転する。キャスティング開始直後の初期において、スプール５ａの回転速度が所定の大きさに到達するまでの間は、遠心カラー２３に作用する遠心力が弱いため、スプール５ａのテーパ面５ｂに対する遠心カラー２３の押圧力の軸方向分力は、バネ部材２７の付勢力よりも小さい。したがって、移動体２２は、図２に示すように、スプール軸５に対して軸方向に殆ど移動することなく、移動体２２に取り付けられた導電体３０は、内側磁石４１、及び外側磁石４２間に形成された環状空間に突入しない。
【００３４】
その後、スプール５ａの回転速度が上昇して遠心カラー２３に作用する遠心力が所定の大きさを超えると、すなわち、スプール５ａのテーパ面５ｂに対する遠心カラー２３の押圧力の軸方向分力がバネ部材２７の付勢力よりも大きくなると、移動体２２は、遠心カラー２３とテーパ面５ｂとの係合案内作用により、バネ部材２７の付勢力に抗してスプール軸５に対して移動し始める。そして、この移動によって、導電体３０が内側磁石４１、及び外側磁石４２間に形成された環状空間（磁界）内に侵入すると、導電体３０には、その侵入量（移動量）と回転速度とに応じた力を磁界から受ける。したがって、導電体３０と一体で回転するスプール５ａにもこの力に伴う制動力が作用する。つまり、スプール５ａにはその回転速度に応じた磁気制動力が増減可能に作用し、その結果、スプール５ａの過回転が防止され、バックラッシュ現象が抑止される。
【００３５】
また、キャスティングの終期において、スプール５ａの回転速度が減少して遠心カラー２３に作用する遠心力が弱くなると、すなわち、スプール５ａのテーパ面５ｂに対する遠心カラー２３の押圧力の軸方向分力がバネ部材２７の付勢力よりも小さくなると、移動体２２はバネ部材２７の付勢力によって初期位置へ向かって戻され始める。これにより、導電体３０は、内側磁石４１、及び外側磁石４２間に形成された環状空間（磁界）から徐々に抜け出し、磁界から受ける力が次第に小さくなる。そのため、キャスティング終期において、飛距離を不必要に低下させることなく、スプールに適度な制動力を付与してバック8ラッシュを効果的に防止できる。
【００３６】
そして、上記したように構成される磁気制動装置２０は、軸方向移動保持機構５０によって、内側磁石４１、及び外側磁石４２の初期設定位置を変更することが可能であるため、制動特性を最適な状態に設定することが可能となる。
【００３７】
例えば、第１ツマミ６０を回転操作して、図３に示すように、初期位置で、導電体３０の先端領域が、内側磁石４１、及び外側磁石４２間に形成された環状空間（磁界）内に侵入した状態に設定しておくと、図２で示す初期設定状態と比較して、キャスティング初期や終期に、スプール５ａに作用する制動力を大きくすることが可能になる。また、これに伴い、スプール５ａの回転の初期から中期、中期から終期における制動特性の変更・設定が可能になるため、釣場の様々な状況変化に応じて、ショートキャストからロングキャストまで幅広く対応することが可能になる。
【００３８】
また、本実施形態では、第２ツマミ７５を回転操作することで、外側磁石４２が回転され、これにより、対向する内側磁石４１との間で極性関係（Ｎ−Ｎ，Ｎ−Ｓ）を変化させることが可能となっている。このため、内側磁石４１、及び外側磁石４２間に形成された磁界の大きさを調整することができるため、上記した磁石４０の軸方向の移動調整に加え、更に、幅の広い制動特性の変更・設定が可能になる。
【００３９】
次に、本発明の別の実施形態について説明する。  
図６は、本発明の第２の実施形態を示す図である。この実施形態における磁石保持体５３Ａは、外側磁石４２を保持しており、内側磁石４１は、支持板５１の支持部５１ａの外周に対して固定された状態となっている。そして、前記磁石保持体５３Ａは、支持体５１に対して軸方向に移動可能で回り止めされている。
【００４０】
前記磁石保持体５３Ａには、径方向内側において、反スプール側に突出する突出部が一体形成されており、ここに雄ネジ部５３Ｂが形成されている。一方、支持板５１には、回転可能で抜け止め保持された第１ツマミ６０Ａが装着されている。この第１ツマミ６０Ａの内側突出部には、前記雄ネジ部５３Ｂと螺合する雌ネジ部６０Ｂが形成されている。
【００４１】
上記した構成により、第１ツマミ６０Ａを回転操作することで、雄ネジ部５３Ｂと雌ネジ部６０Ｂの螺合関係により、磁石保持体５３Ａが軸方向に進退可能となる。すなわち、第１ツマミ６０Ａを回転操作することで、例えば、図７に示すように、磁石保持体５３Ａをスプール側に移動させ、外側磁石４２のみを軸方向に移動させることが可能となっている。
【００４２】
このように、磁気制動装置として、導電体３０に対し、内側磁石４１、及び外側磁石４２を所定間隔おいて配設する構成では、いずれか一方の磁石のみを軸方向に移動させることも可能であり、これにより、要求制動性能や磁石の性能に適した制動力調整が可能になる。もちろん、本実施形態では、外側磁石４２を固定し、内側磁石４１のみを軸方向に移動可能にしても良い。
【００４３】
以上、本発明の実施形態について説明したが、本発明は、上記した実施形態に限定されることはなく、種々変形することが可能である。例えば、磁石を軸方向に移動可能に保持する軸方向移動保持機構は、内側磁石４１、及び外側磁石４２を、夫々単独で軸方向に移動するようにしても良い。このように、内側磁石４１、及び外側磁石４２が、独立して軸方向に移動できることで、更に幅広い制動特性の設定が可能になる。
【００４４】
また、上記した実施形態では、外側磁石４２が、軸方向に移動可能で、かつ回転可能に構成されていたが、いずれか一方の磁石が独立して回転するようにしても良い。また、上記した実施形態では、導電体３０に対し、その内側及び外側に、環状の磁石を対向配置した構成となっているが、いずれか一方のみに軸方向に移動する磁石を配設し、他方に磁性体を対向配置しても良い。さらに、上記した実施形態では、磁石の軸方向の移動、及び回転については、無段階に調整できるよう構成されていたが、段階的に調整できるよう構成されていても良い。
【符号の説明】
【００４５】
１  魚釣用リール（両軸受型リール）
５  スプール軸
５ａ  スプール
５ｂ  テーパ面
２０  磁気静動装置
２２  移動体
２３  遠心カラー（径方向移動部材）
３０  導電体
４０  磁石
４１  内側磁石
４２  外側磁石
５０  軸方向移動保持機構
５１  支持板
６０  第１ツマミ
７５  第２ツマミ
【図１】
0005330564.tif 000002
【図２】
0005330564.tif 000003
【図３】
0005330564.tif 000004
【図４】
0005330564.tif 000005
【図５】
0005330564.tif 000006
【図６】
0005330564.tif 000007
【図７】
0005330564.tif 000008